(57)【特許請求の範囲】
【請求項１】
ストッパープレートの回転軸を横断する平面上に互いに隣接して配置された少なくとも２つのばね板を含む第１のクランプユニットであって、前記各ばね板は第１のばね板クランプ面を提供する第１のばね板端部を有し、コイルばねとは係合しない第１のクランプユニットと、
前記第１のクランプユニットを移動させるべく、前記第１のクランプユニットに隣接している作動ユニットと、を備え、
前記ストッパープレートは、前記第１のクランプユニットに隣接し、前記各ばね板の前記第１のばね板クランプ面に対向するストッパープレートクランプ面を有し、
前記第１のクランプユニットとともに前記ストッパープレートが回転している間、前記第１のクランプユニットは、前記第１のばね板クランプ面と前記ストッパープレートクランプ面との間の第１の空間が毛髪をクランプするために開閉するように、前記ストッパープレートに対して相互に進退し、
前記各ばね板は、前記第１のばね板端部とは反対側の第２のばね板端部を有し、前記第１のばね板端部は、前記ばね板上に第１のウイング対を有し、前記第２のばね板端部は、前記ばね板上に第２のウイング対を有し、前記第１のウイング対は、第１の方向に付勢され、前記第２のウイング対は、第２の方向に付勢され、第１の方向は、第２の方向と反対であり、前記第２のウイング対は可撓性である、
クランプヘッド。
【請求項２】
前記各ばね板は金属製である、請求項１に記載のクランプヘッド。
【請求項３】
前記ストッパープレートはプラスチック製である、請求項１または２に記載のクランプヘッド。
【請求項４】
前記各ばね板は、前記第１のばね板端部とは反対側の、第２のばね板クランプ面を提供する第２のばね板端部を有する、請求項１〜３のいずれか一項に記載のクランプヘッド。
【請求項５】
前記第１のクランプユニットは、前記２つのばね板のみを有する、請求項１〜４のいずれか一項に記載のクランプヘッド。
【請求項６】
前記２つのばね板は、互いに直交して交差する、請求項１〜５のいずれか一項に記載のクランプヘッド。
【請求項７】
前記クランプヘッドは、脱毛器のハンドルの長手方向軸と平行に延在する、請求項１〜６のいずれか一項に記載のクランプヘッド。
【請求項８】
前記第１のクランプユニットは、前記ばね板を４つ有する、請求項１に記載のクランプヘッド。
【請求項９】
前記クランプヘッドは、脱毛器のハンドルの長手方向軸と直交して延在する、請求項８に記載のクランプヘッド。
【請求項１０】
前記ばね板の少なくとも１つは、前記第１のばね板クランプ面が前記ストッパープレートクランプ面と係合して前記第１の空間を閉じることができるように付勢される、請求項１〜９のいずれか一項に記載のクランプヘッド。
【請求項１１】
前記ばね板の少なくとも１つは、前記第１のばね板クランプ面が前記ストッパープレートクランプ面との係合を解除して前記第１の空間を開くことができるように付勢される、請求項１〜９のいずれか一項に記載のクランプヘッド。
【請求項１２】
前記作動ユニットが、
複数のアクチュエータであって、前記複数のアクチュエータのそれぞれが、前記ストッパープレートクランプ面に向いた第１のアクチュエータ端部と、前記第１のアクチュエータ端部とは反対側の第２のアクチュエータ端部と、を有し、前記複数のアクチュエータのそれぞれが、前記回転軸に沿って配置される、複数のアクチュエータと、
前記ストッパープレートと同軸に配置されたエンドプレートであって、前記エンドプレートは、前記複数のアクチュエータに対応する複数のアクチュエータ開口を有し、前記複数のアクチュエータのそれぞれが前記エンドプレートを通って延在することを可能にする、エンドプレートと、
前記ストッパープレートと同軸に配置されたベース部材であって、作動部をその上に有するベース部材面を有し、前記ベース部材面が前記ストッパープレートクランプ面に対向する、ベース部材と、を有する、請求項１〜９のいずれか一項に記載のクランプヘッド。
【請求項１３】
前記作動部は、前記ベース部材面から前記ストッパープレートクランプ面に向かって突出した軸方向突出部である、請求項１２に記載のクランプヘッド。
【請求項１４】
前記作動部は、前記ベース部材面上の凹部である、請求項１２に記載のクランプヘッド。
【請求項１５】
前記第１のアクチュエータ端部は、前記第１のクランプユニットの前記各ばね板の各端部に隣接し、
前記ストッパープレートが前記回転軸を中心に回転すると、前記複数のアクチュエータも前記回転軸を中心に回転し、前記複数のアクチュエータのそれぞれの前記第２のアクチュエータ端部は、前記軸方向突出部を押すことになって前記ストッパープレートクランプ面へと進み、前記第１の空間を閉じる、請求項１３に記載のクランプヘッド。
【請求項１６】
前記第１のアクチュエータ端部は、前記第１のクランプユニットの前記各ばね板の各端部に隣接し、
前記ストッパープレートが前記回転軸を中心に回転すると、前記複数のアクチュエータも前記回転軸を中心に回転し、前記複数のアクチュエータのそれぞれの前記第２のアクチュエータ端部は、前記凹部に入ることになって前記ストッパープレートクランプ面から後退し、前記第１の空間を開く、請求項１４に記載のクランプヘッド。
【請求項１７】
前記第２のアクチュエータ端部は、前記エンドプレートの前記複数のアクチュエータ開口を通って延在する、請求項１３〜１６のいずれか一項に記載のクランプヘッド。
【請求項１８】
前記第１のアクチュエータ端部は、前記エンドプレートの前記複数のアクチュエータ開口を通って延在する、請求項１３〜１６のいずれか一項に記載のクランプヘッド。
【請求項１９】
前記ストッパープレートの前記回転軸を横断する前記平面上に互いに隣接して配置された少なくとも２つの二次のばね板を含む二次のクランプユニットであって、前記各二次のばね板が、二次の第１のばね板クランプ面を提供する二次の第１のばね板端部を有する、二次のクランプユニットと、
前記ストッパープレートと同軸にかつ前記二次のクランプユニットに隣接して配置された中間プレートであって、前記ストッパープレートクランプ面に対向する第１の中間プレート面と、前記各二次のばね板の前記二次の第１のばね板クランプ面に対向する第２の中間プレート面と、を有する中間プレートと、をさらに備え、
前記二次のクランプユニットに対して前記中間プレートが回転している間、前記二次のクランプユニットは、前記第２のクランプユニットの前記二次の第１のばね板クランプ面と前記第２の中間プレート面との間の第２の空間が毛髪をクランプするために開閉するように、前記中間プレートに対して相互に進退する、請求項１〜１８のいずれか一項に記載のクランプヘッド。
【請求項２０】
前記２つの二次のばね板は、互いに直交して交差する、請求項１９に記載のクランプヘッド。
【請求項２１】
前記各二次のばね板は、前記二次の第１のばね板端部とは反対側の二次の第２のばね板端部を有し、前記二次の第１のばね板端部は、前記二次のばね板上に第１のウイング対を有し、前記二次の第２のばね板端部は、前記二次のばね板上に第２のウイング対を有し、前記二次のばね板の前記第１のウイング対は、前記二次のばね板から第１の方向に付勢され、前記二次のばね板の前記第２のウイング対は、前記二次のばね板から第２の方向に付勢され、前記第１の方向は、前記第２の方向と反対である、請求項１９に記載のクランプヘッド。
【請求項２２】
ストッパープレートの回転軸を横断する平面上に互いに隣接して配置された少なくとも２つのばね板を含む第１のクランプユニットを有し、前記各ばね板は、第１のばね板クランプ面を提供する第１のばね板端部を有し、前記第１のクランプユニットはコイルばねと係合せず、前記ストッパープレートは、前記第１のクランプユニットに隣接しかつ前記各ばね板の前記第１のばね板クランプ面に対向するストッパープレートクランプ面を有し、前記各ばね板の前記第１のばね板クランプ面と前記ストッパープレートクランプ面との間に毛髪をクランプするための第１の空間が形成されているクランプヘッドと、
前記回転軸に沿って配置された複数のアクチュエータを有し、前記複数のアクチュエータのそれぞれは、前記第１のクランプユニットの前記各ばね板の各端部に隣接する第１のアクチュエータ端部を有する作動ユニットと、を備え、
前記ストッパープレートが前記回転軸を中心に回転すると、前記複数のアクチュエータのそれぞれは、前記ストッパープレートに対して相互に進退して、それぞれの前記第１の空間を開閉し、
前記各ばね板は、前記第１のばね板端部とは反対側の第２のばね板端部を有し、前記第１のばね板端部は、前記ばね板上に第１のウイング対を有し、前記第２のばね板端部は、前記ばね板上に第２のウイング対を有し、前記第１のウイング対は、第１の方向に付勢され、前記第２のウイング対は、第２の方向に付勢され、第１の方向は、第２の方向と反対であり、前記第２のウイング対は可撓性である、脱毛器。
【発明の詳細な説明】
【技術分野】
【０００１】
本発明は、毛髪をクランプするためのクランプヘッド、特に脱毛器に取り付けられるクランプヘッドに関する。
【背景技術】
【０００２】
市場には、ユーザのさまざまなニーズに合わせて多くのタイプの脱毛器が存在している。これらの脱毛器のうち、特許文献１に開示されている特定のタイプは、脱毛器の一端に取り付けられるクランプヘッドを有する。このクランプヘッドは、中心の心棒の軸を中心としたモータによって駆動されて運動する心棒を有し、エンドプレートが、心棒と一緒に回転するように心棒の第１の端部に配置される。エンドプレートは、少なくとも第１の機能面と、機能面を有する第１のクランプ要素とを有する。エンドプレートの第１の機能面は、第１のクランプ要素の機能面と向かい合って配置され、第１のクランプ要素は、２つの機能面が互いに当接する際に繰り返し閉位置をとるように、コイルばねによってエンドプレートに対して繰り返し進退する。閉位置において機能面の間にクランプされた可能性のある毛髪は、皮膚から引き抜かれる。
【先行技術文献】
【特許文献】
【０００３】
【特許文献１】米国特許出願公開第２０１４／３０９６６３号明細書
【発明の概要】
【発明が解決しようとする課題】
【０００４】
コイルばねのクランプ要素への組み立ては複雑かつ困難である。
【０００５】
したがって、本発明は、これらの問題に対処すること、または少なくとも公衆に代案を提供することを目指すものである。より良いクランピングと耐久性を持つ脱毛器をユーザに提供することが望ましい。一方、製造の観点から、より簡単な組み立てでより少ない材料で前記脱毛器を製造することも望ましい。
【課題を解決するための手段】
【０００６】
本発明の第１の態様によれば、
ストッパープレートの回転軸を横断する平面上に互いに隣接して配置された少なくとも２つのばね板を含み得る第１のクランプユニットであって、前記各ばね板は、第１のばね板クランプ面を提供する第１のばね板端部を有する、第１のクランプユニットと、
前記第１のクランプユニットに隣接し、前記各ばね板の前記第１のばね板クランプ面に対向するストッパープレートクランプ面を有し得る前記ストッパープレートと、を備えるクランプヘッドであって、
前記第１のクランプユニットに対して前記ストッパープレートが回転している間、前記第１のクランプユニットは、前記第１のばね板クランプ面と前記ストッパープレートクランプ面との間の第１の空間が毛髪をクランプするために開閉するように、前記ストッパープレートに対して相互に進退してもよい、クランプヘッドを提供する。
【０００７】
好ましくは、前記前記クランプヘッド内の前記前記ばね板は金属製であってもよい。より好ましくは、前記前記クランプヘッド内の前記前記ストッパープレートは、プラスチック製であってもよい。
【０００８】
任意選択で、前記前記クランプヘッドの前記前記各ばね板は、第２のばね板クランプ面を提供する前記前記第１のばね板端部とは反対側の第２のばね板端部を有してもよい。好ましくは、前記前記第１のクランプユニットは、２つの前記前記ばね板のみを有してもよい。より好ましくは、前記前記２つのばね板は、互いに直交して交差してもよい。有利には、クランプヘッドは、脱毛器のハンドルに沿って横方向に延在してもよい。
【０００９】
任意選択で、前記クランプヘッドの前記各ばね板は、前記第１のばね板端部とは反対側の第２のばね板端部を有し、前記第１のばね板端部は、前記ばね板上に第１のウイング対を有し、前記第２のばね板端部は、前記ばね板上に第２のウイング対を有してもよい。ここで、前記第１のウイング対は、第１の方向に付勢され、前記第２のウイング対は、第２の方向に付勢され、第１の方向は、第２の方向と反対である。好ましくは、前記第１のクランプユニットは、４つの前記ばね板を有してもよい。さらにより好ましくは、クランプヘッドは、脱毛器のハンドルに沿って水平に延在してもよい。
【００１０】
好ましくは、クランプヘッドの前記ばね板の少なくとも１つは、前記第１のばね板クランプ面が前記ストッパープレートクランプ面と係合して前記第１の空間を閉じることができるように付勢されてもよい。あるいは、クランプヘッドの少なくとも１つの前記ばね板は、付勢されて、前記第１のばね板クランプ面を前記ストッパープレートクランプ面との係合から解除できるようにして、前記第１の空間を開いてもよい。
【００１１】
クランプヘッドは、
複数のアクチュエータであって、前記複数のアクチュエータのそれぞれが、前記ストッパープレートクランプ面に向いた第１のアクチュエータ端部と、前記第１のアクチュエータ端部とは反対側の第２のアクチュエータ端部と、を有し、前記複数のアクチュエータのそれぞれが、前記回転軸に沿って配置される、複数のアクチュエータと、
前記ストッパープレートと同軸に配置されたエンドプレートであって、前記エンドプレートは、前記複数のアクチュエータに対応する複数のアクチュエータ開口を有し、前記複数のアクチュエータのそれぞれが前記エンドプレートを通って延在することを可能にする、エンドプレートと、
前記ストッパープレートと同軸に配置されたベース部材であって、作動部をその上に有するベース部材面を有し、前記ベース部材面が前記ストッパープレートクランプ面に対向する、ベース部材と、を有する作動ユニットをさらに備えてもよい。
【００１２】
任意選択で、作動部は、前記ベース部材面から前記ストッパープレートクランプ面に向かって突出した軸方向突出部であってもよい。好ましくは、前記第１のアクチュエータ端部は、前記第１のクランプユニットの前記各ばね板の各端部に隣接し、前記ストッパープレートが前記回転軸を中心に回転すると、前記複数のアクチュエータも前記回転軸を中心に回転し、前記複数のアクチュエータのそれぞれの前記第２のアクチュエータ端部は、前記軸方向突出部を押すことになって前記ストッパープレートクランプ面へと進み、前記第１の空間を閉じてもよい。
【００１３】
任意選択で、作動部は、前記ベース部材面上の凹部であってもよい。好ましくは、前記第１のアクチュエータ端部は、前記第１のクランプユニットの前記各ばね板の各端部に隣接し、前記ストッパープレートが前記回転軸を中心に回転すると、前記複数のアクチュエータも前記回転軸を中心に回転し、前記複数のアクチュエータのそれぞれの前記第２のアクチュエータ端部は、前記凹部に入ることになって前記ストッパープレートクランプ面から後退し、前記第１の空間を開いてもよい。
【００１４】
好ましくは、前記第２のアクチュエータ端部は、前記エンドプレートの前記複数のアクチュエータ開口を通って延在してもよい。あるいは、前記第１のアクチュエータ端部は、前記エンドプレートの前記複数のアクチュエータ開口を通って延在してもよい。
【００１５】
クランプヘッドは、
前記ストッパープレートの前記回転軸を横断する前記平面上に互いに隣接して配置された少なくとも２つの二次のばね板を含む二次のクランプユニットであって、前記各二次のばね板が、二次の第１のばね板クランプ面を提供する二次の第１のばね板端部を有する、二次のクランプユニットと、
前記ストッパープレートと同軸にかつ前記二次のクランプユニットに隣接して配置された中間プレートであって、前記ストッパープレートクランプ面に対向する第１の中間プレート面と、前記各二次のばね板の前記二次の第１のばね板クランプ面に対向する第２の中間プレート面と、を有する中間プレートと、をさらに備えてもよく、
前記二次のクランプユニットに対して前記中間プレートが回転している間、前記二次のクランプユニットは、前記第２のクランプユニットの前記二次の第１のばね板クランプ面と前記第２の中間プレート面との間の第２の空間が毛髪をクランプするために開閉するように、前記中間プレートに対して相互に進退する。
【００１６】
好ましくは、前記２つの二次のばね板は、互いに直交して交差してもよい。より好ましくは、前記各二次のばね板は、前記二次の第１のばね板端部とは反対側の二次の第２のばね板端部を有してもよく、前記二次の第１のばね板端部は、前記二次のばね板上に第１のウイング対を有し、前記二次の第２のばね板端部は、前記二次のばね板上に第２のウイング対を有し、前記二次のばね板の前記第１のウイング対は、前記二次のばね板から第１の方向に付勢され、前記二次のばね板の前記第２のウイング対は、前記二次のばね板から第２の方向に付勢され、前記第１の方向は、前記第２の方向と反対である。
【００１７】
本発明の第２の態様によれば、クランプヘッドと作動ユニットとを備える脱毛器であって、クランプヘッドは、ストッパープレートの回転軸を横断する平面上に互いに隣接して配置された少なくとも２つのばね板を含む第１のクランプユニットを有してもよく、前記各ばね板は、第１のばね板クランプ面を提供する第１のばね板端部を有し、前記ストッパープレートは、前記第１のクランプユニットに隣接し、前記各ばね板の前記第１のばね板クランプ面に対向するストッパープレートクランプ面を有し、前記各ばね板の前記第１のばね板クランプ面と前記ストッパープレートクランプ面との間に毛髪をクランプするための第１の空間が形成され、作動ユニットは、前記回転軸に沿って配置された複数のアクチュエータを有してもよく、前記複数のアクチュエータのそれぞれは、前記第１のクランプユニットの前記各ばね板の各端部に隣接する第１のアクチュエータ端部を有し、前記ストッパープレートが前記回転軸を中心に回転すると、前記複数のアクチュエータのそれぞれは、前記ストッパープレートに対して相互に進退し、それぞれの前記第１の空間を開閉してもよい、脱毛器を提供する。
【図面の簡単な説明】
【００１８】
【図１】本発明のアタッチメント上に第１の実施形態のクランプヘッドを有する脱毛器の縦断面図を示す。
【図２】図１の脱毛器から取り外したアタッチメントを示す。
【図３】図１のクランプヘッドの分解図を示す。
【図４】図３の２つのクランプユニットを有するクランプヘッドの拡大図を示す。
【図５】それぞれのアクチュエータが回転中にベース部材のベース部材作動部と接触しているときのばね板の動きを示す概略図である。
【図６】本発明の第２の実施形態のばね板２１０の斜視図を示す。
【図７ａ】図６の角度Ａから見たときのばね板２１０の図を示す。
【図７ｂ】図６の角度Ｂから見たときのばね板２１０の図を示す。
【図７ｃ】図６の角度Ｃから見たときのばね板２１０の図を示す。
【図８】本発明の第２の実施形態のストッパープレート２２０の斜視図を示す。
【図９】図８の角度Ａから見たときのストッパープレート２２０のそれぞれの図を示す。
【図１０】第１のばね板クランプ面２１０Ｃを有するばね板２１０に隣接するストッパープレートクランプ面２２０Ａを有するストッパープレート２２０の拡大図を示す。
【図１１】本発明の第２の実施形態のエンドプレート２０４の斜視図を示す。
【図１２ａ】図１１の角度Ａから見たエンドプレート２０４の図を示す。
【図１２ｂ】図１１の角度Ｂから見たエンドプレート２０４の図を示す。
【図１３ａ】本発明の第２の実施形態のアクチュエータ２４０の斜視図を示す。
【図１３ｂ】本発明の第２の実施形態のアクチュエータ２４０の他の斜視図を示す。
【図１３ｃ】ストッパープレート２２０上のばね板２１０に隣接するエンドプレート２０４上の複数のアクチュエータを有する組立物を示す。
【図１４】本発明の第２の実施形態のベース部材２０２の斜視図を示す。
【図１５ａ】図１１の角度Ａから見たときのベース部材２０２の図を示す。
【図１５ｂ】図１１の角度Ｂから見たときのベース部材２０２の図を示す。
【図１６】第２の実施形態のクランプヘッド２００の分解図を示す。
【図１７】心棒２０１を中心にアクチュエータ２４０が回転している間のアクチュエータ２４０の１つの動きに応じたばね板２１０のクランピングを示す概略図である。
【図１８】ばね板２１０の繰り返しユニットと、ストッパープレート２２０および中間プレート２３０の繰り返しユニットを示す。
【図１９】本発明の第２の実施形態の中間プレート２３０の斜視図を示す。
【図２０】角度Ａから見たときの中間プレート２３０のそれぞれの図を示す。
【図２１】第１のばね板クランプ面２１０Ｃを有するばね板２１０に隣接する中間プレートクランプ面２３０Ａを有する中間プレート２３０の拡大図を示す。
【図２２】本発明の第３の実施形態のクランプヘッド３００の分解図を示す。
【図２３】図２２に示されるクランプヘッド３００の組み立て後の状態を示す。
【発明を実施するための形態】
【００１９】
本開示は、以下の段落において、図を参照して例示として与えられる。本開示の目的、特徴、および態様は、以下の説明に開示されているか、またはそれから明らかである。以下の説明は、例示的な実施形態の説明にすぎず、本開示のより広い態様を限定することを意図するものではなく、より広い態様が例示的な構成で具現化されることを当業者は理解するべきである。
【００２０】
アタッチメント３の側面にクランプヘッド１００を有する脱毛器１の例を図１に示す。脱毛器１は、コネクタ要素６０でハンドル２に接続されたアタッチメント３を有する。ハンドル２は、バッテリー５０およびモータ４０をそれぞれ収容するためのバッテリーハウジング１０およびメインハウジング２０を含む中空のハウジングである。バッテリー５０は、モータ４０に電力を供給して、クランプヘッド１００を、心棒１２０を中心に回転させる。ハンドル２は、ハンドル２の周辺に、脱毛器１のオン／オフまたはクランプヘッド１００の回転速度またはクランプヘッド１００の回転方向を切り替えるためのオン／オフスイッチ８０をさらに備える。アタッチメント３は、アタッチメントハウジング３０と、クランプヘッド１００を覆う保護キャップ７０とを有する。アタッチメント３は、ユーザが定期的にアタッチメント３／クランプヘッド１００を清掃したり、衛生上の理由で別のアタッチメント３に交換したり、必要に応じてアタッチメント３を交換したりできるように、ハンドル２から取り外し可能であることが有利である。
【００２１】
図１および図３に示すように、脱毛器１は、ギア１３０Ａ、１３０Ｂ、および１３０Ｃを有するギアユニットと、シャフト１１０Ａおよび１１０Ｄと、コネクタ１１０Ｂと、心棒１２０がモータ４０によって駆動されて運動するようにモータ４０のモータ心棒４２を心棒１２０と連結するためのブッシング１１０Ｃと、を備える。図１および図３は、シャフト１１０Ａがモータ４０のモータ心棒の延長であり、それにより、心棒１２０がギアユニットによってシャフト１１０Ａに連結される際に心棒１２０がシャフト１１０Ａの延長となるということを示す。しかしながら、いくつかの実施形態では、脱毛器１は、ユーザに対して脱毛器を使用する際に快適さを提供するために、ハンドル２の中心軸に対してそれぞれ傾斜し得るアタッチメント３を有することができると理解され得る。また、モータ４０による心棒１２０の回転は、当技術分野で知られている種々の異なる方法によって達成することができる。
【００２２】
図３は、本開示のクランプヘッド１００の分解図を示し、これは、以下でさらに説明される２組のクランプユニットを有する。しかしながら、クランプヘッド１００は、異なる用途および／または実践的な考慮事項における要件に応じて、１つのクランプユニットまたは３つ以上のクランプユニットでも機能できることに留意されたい。図３および図４において、クランプヘッド１００は、心棒１２０に固定して接続されるストッパーナット１４１を備える。クランプヘッド１００は、ストッパープレート１４２が心棒１２０に対して回転するように、心棒１２０に固定して接続されるストッパープレート１４２も有する。ストッパープレート１４２は、第１のストッパープレート面と、第１のストッパープレート面に対向する第２のストッパープレート面とを有する。第１のストッパープレート面は、ストッパーナット１４１の方を向いており、第２のストッパープレート面は、モータ４０の方を向いている。第２のストッパープレート面は、第２のストッパープレート面の周囲にストッパープレートクランプ面１４２Ａを提供する。ストッパープレート１４２は、任意の材料で作ることができる。好ましくは、ストッパープレート１４２はプラスチック製である。
【００２３】
クランプヘッド１００は、ストッパープレート１４２に隣接して配置された複数のばね板を含む第１のクランプユニットを有する。図３および図４において、クランプヘッド１００は、心棒１２０、すなわちストッパープレート１４２の回転軸を横断する交差の平面上で互いに交差する２つのばね板１５１および１５２を有する。第１のクランプユニットは、ストッパープレートクランプ面１４２Ａがばね板１５１および１５２のそれぞれの第１のばね板クランプ面１５１Ａおよび１５２Ａに対向するように、ストッパープレート１４２に隣接して配置される。好ましくは、ばね板１５１および１５２を通って図３に示す互いに直交する２つの交差は、本発明が機能することができる所望の任意の角度、例えば４５度または６０度で交差することができる。第１のクランプユニットは、所望に応じて第３および第４のばね板を有することができることを理解されたい。製造において、各ばね板は、任意の材料、好ましくは金属または可撓性のプラスチックで作ることができる。有利には、金属製のばね板は、毛髪をクランプするためのより高いクランプ能力を提供できる。図４において、第１のクランプユニットのばね板１５１および１５２は、それぞればね板１５１および１５２上に第１のばね板クランプ面１５１Ａおよび１５２Ａを提供する第１のばね板端部を有する。ばね板１５１および１５２は、ばね板１５１および１５２のそれぞれの第２のばね板端部に、それぞれ第１のばね板クランプ面１５１Ａおよび１５２Ａに対向する第２のばね板クランプ面１５１Ｂおよび１５２Ｂも有する。
【００２４】
第１のばね板クランプ面とストッパープレートクランプ面１４２Ａとの間には、毛髪をクランプするための空間が形成され、この空間は、毛髪をクランプしてから除去するために使用される。図３および図４のクランプヘッド１００は、第１のクランプユニットのばね板クランプ面１５１Ａ、１５１Ｂ、１５２Ａ、および１５２Ｂと、ストッパープレートクランプ面１４２Ａとの間にそれぞれ第１の空間、第２の空間、第３の空間、および第４の空間を有する。ばね板クランプ面（複数可）は、それぞれのばね板によって付勢されて、ストッパープレートクランプ面１４２Ａと係合し、それぞれの空間（複数可）を閉じる。あるいは、ばね板クランプ面（複数可）は、それぞれのばね板によって付勢されて、ストッパープレートクランプ面１４２Ａとの係合を解除し、それぞれの空間（複数可）を開く。
【００２５】
図３〜図４に示すクランプヘッド１００は、ストッパープレート１４２と同軸に配置された中間プレート１６０を有する。中間プレート１６０は、ストッパープレートクランプ面１４２Ａに対向する第１中間プレート面１６０Ａと、反対側の第２の中間プレート面とを有する。第２の中間プレート面１６０Ｂは、モータ４０の方を向いている。中間プレート１６０は、対応するアクチュエータ１８０を案内して中間プレート１６０を通って延在する複数のアクチュエータ開口１６０Ｃを有する。
【００２６】
クランプヘッド１００は、第１のクランプユニットと同じ構造を有する二次のクランプユニットをさらに備える。二次のクランプユニットは、心棒１２０、すなわちストッパープレート１４２の回転軸を横断する交差の平面上で互いに交差する二次のばね板１７１および１７２を有する。二次のクランプユニットは、中間プレート１６０に隣接して配置される。第２の中間プレート面１６０Ｂは、二次のばね板１７１および１７２のそれぞれの二次の第１のばね板クランプ面１７１Ａおよび１７２Ａに対向する。図４において、二次のクランプユニットの二次のばね板１７１および１７２はそれぞれ、二次のばね板１７１および１７２上の二次の第１のばね板クランプ面１７１Ａおよび１７２Ａを提供する二次の第１のばね板端部を有する。二次のばね板１７１および１７２はまた、二次のばね板１７１および１７２のそれぞれの端部に、それぞれ二次の第１のばね板クランプ面１７１Ａおよび１７２Ａに対向する二次の第２のばね板クランプ面１７１Ｂおよび１７２Ｂを有する。
【００２７】
二次のばね板クランプ面と第２の中間プレート面１６０Ｂとの間に空間が形成され、その空間は、クランプされることとなる毛髪をクランプするために使用される。図３および図４のクランプヘッド１００は、二次のクランプユニットの二次のばね板クランプ面１７１Ａ、１７１Ｂ、１７２Ａ、および１７２Ｂと、二次の中間プレート面１６０Ｂとの間にそれぞれ第５の空間、第６の空間、第７の空間、および第８の空間を有する。ばね板（複数可）１７１および／または１７２は、付勢されて、それぞれのクランプ面（複数可）を第２の中間プレート面１６０Ｂと係合できるようにし、それぞれの空間（複数可）を閉じて、塵または小さな粒子がそこで捕獲されるのを防ぐ。あるいは、ばね板（複数可）をずらすことで、それぞれの空間を開くために、それぞれのばね板クランプ面（複数可）を第２の中間プレート面１６０Ｂとの係合から解除できるようにしていることが分かる。
【００２８】
クランプヘッド１００は、複数のアクチュエータ１８０および１９０、エンドプレート１６１、およびベース部材１６２を有する作動ユニットをさらに備える。図３および４に示されるように、アクチュエータ１８０および１９０のそれぞれは、ストッパープレート１４２の回転軸に沿って配置される。第１のアクチュエータ端部１８０Ａおよび１９０Ａは、第１のクランプユニットのばね板クランプ面１５１Ａ、１５２Ａ、１５１Ｂ、１５２Ｂおよび二次のクランプユニットのばね板クランプ面１７１Ａ、１７２Ａ、１７１Ｂ、１７２Ｂにそれぞれ隣接する。アクチュエータ１８０および１９０は、プラスチック製の棒状ピンの形をしている。あるいは、アクチュエータ１８０および１９０は、金属製であってもよい。エンドプレート１６１は、エンドプレート１６１が心棒１２０を中心に回転するように、心棒１２０に固定して接続される。エンドプレート１６１は、その表面に複数のアクチュエータ開口１６１Ｃを有する。複数のアクチュエータ開口１６１Ｃの位置は、第２のアクチュエータ端部１８０Ｂおよび１９０Ｂがエンドプレート１６１のアクチュエータ開口１６１Ｃを通ってベース部材面１６２Ａに向かって延在するように、複数のアクチュエータ１８０および１９０に対応する。ベース部材１６２は、心棒１２０上に配置され、心棒１２０を中心に固定された角度位置を有する。ギア１３０Ａ、１３０Ｂ、および１３０Ｃが回転する際、ベース部材１６２は、心棒１２０を中心に回転しない。ベース部材１６２は、ベース部材作動部１６２Ｂを有するベース部材面１６２Ａを有する。好ましくは、ベース部材作動部１６２Ｂは、図３および図４に示すように、ベース部材面１６２Ａからストッパープレートクランプ面１４２Ａに向かって突出した軸方向突出部である。ベース部材作動部１６２Ｂの構成は、ベース部材面１６２Ａから突出した軸方向突出部である。図３および図４を参照すると、ベース部材作動部１６２Ｂは、中央台状部と台状部の側面に配置された２つの傾斜部とを有するデザインであるが、このデザインは限定的ではなく、アクチュエータを作動できる他のデザインもまた、本発明の要旨の範囲内である。
【００２９】
ユーザが脱毛器１のスイッチを入れると、モータ４０は、シャフト１  １１０Ａ、コネクタ１１０Ｂ、ブッシング１１０Ｃ、シャフト２  １１０Ｄおよびギアユニット（１３０Ａ、１３０Ｂ、１３０Ｃ）によって心棒１２０を回転させる。エンドプレート１６１、中間プレート１６０、ストッパープレート１４２、およびストッパーナット１４１は、心棒１２０に固定して接続されているため、エンドプレート１６１、中間プレート１６０、ストッパープレート１４２、およびストッパーナット１４１は、心棒１２０を中心に回転する。心棒１２０が回転すると、２つのクランプユニットのばね板１５１、１５２、１７１、および１７２も心棒１２０を中心に回転する。ストッパープレートクランプ面１４２Ａと第１のクランプユニットのばね板クランプ面との間、または第２の中間プレート面１６０Ｂのばね板クランプ面と、二次のクランプユニットの二次のばね板クランプ面との間において毛髪をクランプする空間の開閉については後述する。
【００３０】
ストッパープレート１４２が回転軸を中心に回転すると、アクチュエータ１８０および１９０も回転し、複数のアクチュエータ１８０および１９０のそれぞれの第２のアクチュエータ端部１８０Ｂまたは１９０Ｂが順番に、ベース部材面１６２Ａ上のベース部材作動部１６２Ｂを弾性部材１６３に向かって押す。第２のアクチュエータ端部１８０Ｂまたは１９０Ｂの一方がベース部材作動部１６２Ｂの傾斜部に沿ってベース部材作動部１６２Ｂの台状部に向かって移動すると、前記第２のアクチュエータ端部に対応する空間が開く。第２のアクチュエータ端部１８０Ｂまたは１９０Ｂの一方がベース部材作動部１６２Ｂと接触すると、前記第２のアクチュエータ端部は、ベース部材１６２を弾性部材１６３に向かって押し、これにより弾性部材１６３を圧縮する。前記第２のアクチュエータ端部が傾斜部まで降下すると、圧縮された弾性部材１６３が延伸し、ベース部材１６２をストッパープレート１４２に向かって押し、これにより、前記第２のアクチュエータ端部をストッパープレートクランプ面１４２Ａに向かって押す。弾性部材１６３の延伸は、ストッパープレートクランプ面１４２Ａと第１のクランプユニットのばね板クランプ面との間、または第２の中間プレート面１６０Ｂと二次のクランプユニットの二次のばね板クランプ面との間のそれぞれの空間を閉じるクランプ力を提供する。
【００３１】
あるいは、空間（複数可）の開閉は以下で実現できる。ストッパープレート１４２が回転軸を中心に回転すると、アクチュエータ１８０および１９０も回転し、弾性部材１６３がベース部材１６２に対して相互に進退し、ベース部材１６２を押す。これにより、ベース部材１６２のベース部材作動部１６２Ｂは、第２のアクチュエータ端部１８０Ｂおよび／または１９０Ｂを押して、ストッパープレートクランプ面１４２Ａへと進み、空間（複数可）を閉じる。このように、毛髪は、髪が空間内に捕獲されると、心棒１２０を中心としたそれぞれの空間の回転とともに、皮膚から除去される。第２のアクチュエータ端部がベース部材作動部１６２Ｂを押した後、空間は再び開く。ストッパープレート１４２が回転している間、クランプユニット（複数可）は、毛髪をクランプするための空間（複数可）がそれぞれ相互に開閉するように、ストッパープレート１４２に対して相互に進退する。
【００３２】
ストッパープレート１４２、中間プレート１６０、エンドプレート１６１、およびばね板１５１、１７１、１７２などの、心棒１２０を中心とした部品の回転は、図５に詳細に示される。図５Ａに示すように、ばね板１５１のアクチュエータのうちの１つがベース部材１６２のベース部材作動部１６２Ｂと接触すると、ばね板１５１はストッパープレート１４２と係合する。一方、ばね板１７１および１７２の他のアクチュエータがベース部材１６２のベース部材作動部１６２Ｂと接触していないとき、ばね板１７１および１７２は、第２の中間プレート面１６０Ｂから離れるように付勢されている。図５Ｂは、心棒１２０が図５Ａの配置に対して２２．５°回転したときの状態を示す。図５Ｂにおいて、ばね板１５１のアクチュエータは、ベース部材１６２のベース部材作動部１６２Ｂの傾斜に沿って降下する。ばね板１５１のアクチュエータ端部は、ベース部材１６２のベース部材作動部１６２Ｂと接触したままなので、ばね板１５１は、ストッパープレート１４２に向かって付勢されたままである。一方、ばね板１７１のアクチュエータのうちの１つは、ベース部材１６２の傾斜部に沿ってベース部材１６２の台状部に向かって上昇し、これにより、ばね板１７１は、第２の中間プレート面に係合する。ばね板１７２のアクチュエータは、ベース部材１６２のベース部材作動部１６２Ｂと係合しないので、ばね板１７２も第２中間プレート面１６０Ｂと係合しないままである。図５Ｃは、心棒１２０が図５Ｂの配置に対して２２．５°回転したときの状態を示す。図５Ｃにおいて、ばね板１７１のアクチュエータのうちの１つが、ベース部材１６２のベース部材作動部１６２Ｂと接触しており、これにより、ばね板１７１は、第２の中間プレート面１６０Ｂをクランプする。一方、ばね板１５１および１７２のアクチュエータは、ベース部材１６２のベース部材作動部１６２Ｂから後退し、ばね板１５１および１７２は、それぞれストッパープレート１４２および第２の中間プレート面から離れるように付勢される。
【００３３】
図６は、本発明の第２の実施形態のばね板２１０の斜視図を示し、これは、第１の実施形態のばね板１５１および１７１とは異なる。図７ａ〜７ｃは、異なる角度、すなわち図６のそれぞれ角度Ａ〜Ｃから図６のばね板２１０を見たときのばね板２１０の異なる図を示す。図７ａに示すように、ばね板２１０は、第１のばね板端部２１０Ａと、第１のばね板端部２１０Ａとは反対側の第２のばね板端部２１０Ｂとを有する「アンカー」として形作られるが、ばね板２１０がアンカー形状を有することは必須ではない。ばね板が毛髪をクランプできる端部を提供するのであれば、長方形、台形、または不規則な形状など、任意の形状のばね板。図７ａは、第１のばね板端部２１０Ａが、図７ａの点線の円で示される第１のばね板クランプ面２１０Ｃを提供することを示す。図７ａはまた、第１のばね板端部２１０Ａがばね板２１０上に第１のウイング対２１０Ｄを有し（図７ａにおいて点線の長方形で示す）、第２のばね板端部２１０Ｂがばね板２１０上に第２のウイング対２１０Ｅを有することを示す（図７ａにおいて点線の長方形で示す）。図７ｂおよび図７ｃに示すように、第１のウイング対２１０Ｄは、ばね板２１０から第１の方向に偏位され、第２のウイング対２１０Ｅは、ばね板２１０から第２の方向に偏位される。ここで、第１の方向は、第２の方向と反対である。ばね板２１０は、任意の材料、好ましくは金属または可撓性のプラスチックで作ることができる。有利には、ばね板２１０は金属製であるが、プラスチックのような弾性を有する他の材料で作ることもできる。
【００３４】
図８は、第１の実施形態のストッパープレート１４２とは異なる、本発明の第２の実施形態のストッパープレート２２０の斜視図を示す。図９は、図８の角度Ａから図８のストッパープレート２２０を見たときの図を示す。図９において、ストッパープレート２２０は、ストッパープレート２２０の中心に、心棒（後述）を通過可能にする心棒開口２２０Ｄを有する。ストッパープレート２２０は、ストッパープレート２２０の周囲に、アクチュエータ（後述）を通過可能にする複数のアクチュエータ開口２２０Ｂを有する。アクチュエータ開口２２０Ｂの位置は、ばね板２１０がアクチュエータによって付勢されるときに、第１のばね板クランプ面２１０Ｃとストッパープレートクランプ面（後述）との間の係合および／または係合解除によって毛髪をクランプできる程度まで、ストッパープレート２２０の周囲からずらすことができる。各アクチュエータ開口２２０Ｂの開口サイズは、アクチュエータ（後述）がアクチュエータ開口２２０Ｂを通過できるように十分に大きくなければならない。ストッパープレート２２０Ｄの周囲のアクチュエータ開口２２０Ｂの数は、ストッパープレート２２０Ｄの面積によって制限されるが、そうでなければ任意の所望の数とすることができる。脱毛時の痛みを軽減するために、ストッパープレート２２０のリムは、ユーザをマッサージするための複数の突出部２２０Ｅを有することができる。ストッパープレート２２０上のストッパープレートクランプ面２２０Ａの数は、図６に示すように、ばね板２１０の第１のばね板クランプ面２１０Ｃの数に対応する。ストッパープレートクランプ面２２０Ａは、ストッパープレート２２０の周囲にあり、またはストッパープレートクランプ面２２０Ａは、ストッパープレートクランプ面２２０Ａが他の場所にある場合には毛髪をクランプするのに使用することはできない。ストッパープレートクランプ面２２０Ａの位置は、ばね板２１０がアクチュエータによって付勢されるときに、第１のばね板クランプ面２１０Ｃとストッパープレートクランプ面との間の係合および／または係合解除によって依然として毛髪をクランプできる程度まで、ストッパープレート２２０の周囲からずらすことができる。
【００３５】
図９はまた、ストッパープレート２２０が、ばね板２１０の形状に相補的な「アンカー」形状の凹部２２０Ｃ、すなわち、図６に示すようなアンカー形状を有することを示す。必然と、ストッパープレート２２０上の凹部２２０Ｃの数は、同じストッパープレート２２０上のばね板２１０の数に対応する。あるいは、凹部２２０Ｃの形状は、凹部２２０Ｃがばね板２１０を収容できるのであれば、任意の形状とすることができる。ストッパープレート２２０の凹部２２０Ｃの数は、図９では４つであるが、これらは単なる例であり、ばね板の面積に対するストッパープレートの面積の比率に基づいて決定することができる。
【００３６】
図１０に示すように、ストッパープレート２２０の凹部２２０Ｃは、ばね板２１０を収容する。図１０の各ばね板２１０は、詳細に後述するそれぞれのアクチュエータによって付勢することができ、ばね板２１０の第１のばね板クランプ面２１０Ｃがストッパープレート２２０のストッパープレートクランプ面２２０Ａと係合または係合解除できるようにする。ばね板２１０の第１のばね板クランプ面２１０Ｃがストッパープレート２２０のストッパープレートクランプ面２２０Ａとの係合を解除すると、ストッパープレート２２０のストッパープレートクランプ面２２０Ａとばね板２１０の第１のばね板クランプ面２１０Ｃとの間に空間が形成される。ばね板２１０の第１のばね板クランプ面２１０Ｃがストッパープレート２２０のストッパープレートクランプ面２２０Ａと係合すると、ストッパープレート２２０のストッパープレートクランプ面２２０Ａとばね板２１０の第１のばね板クランプ面２１０Ｃとの間の空間は閉じる。
【００３７】
図１１は、本発明の第２の実施形態のエンドプレート２０４の斜視図を示し、これは、第１の実施形態のエンドプレート１６１とは異なる。図１２ａおよび図１２ｂは、それぞれ角度ＡおよびＢから見た図１１のエンドプレート２０４の図を示す。図１１は、エンドプレートがギアおよびアクチュエータを収容するために特定の厚さを有することを示し、これについては、図１６にさらに詳しく示す。図１２ａは、エンドプレート２０４が周辺にクランプ面を有していないことを除いて、エンドプレート２０４が図９に示すストッパープレート２２０に似ていることを示す。したがって、エンドプレート２０４に関する説明は、ストッパープレート２２０にも当てはまる。しかしながら、所望により、ストッパープレート２２０がクランプ面２２０Ａを有するように、エンドプレート２０４もクランプ面を有することができる。
【００３８】
図１３ａ，図１３ｂは、本発明の第２の実施形態のアクチュエータ２４０を示し、これは、第１の実施形態のアクチュエータ１８０および１９０とは異なる。しかしながら、アクチュエータ２４０、１８０、および１９０も同じようにすることができる。図１３ａおよび図１３ｂに示すように、アクチュエータ２４０は、第１のアクチュエータ端部２４０Ａと、第１のアクチュエータ端部２４０Ａとは反対側の第２のアクチュエータ端部２４０Ｂとを有する。第１のアクチュエータ端部２４０Ａは、図１６に詳細に示されるエンドプレート２０４の複数のアクチュエータ開口２０４Ａを通って延在する。アクチュエータ２４０の第１のアクチュエータ端部２４０Ａの断面積は円形であるが、その断面は、正方形、三角形、五角形、多面体、または不規則な形状とすることさえもできる。好ましくは、アクチュエータ２４０の第２のアクチュエータ端部２４０Ｂの断面は、アクチュエータ２４０の第１のアクチュエータ端部２４０Ａの断面よりも大きいが、これは逆にすることができる。アクチュエータ２４０の第２のアクチュエータ端部２４０Ｂの断面積は、台形形状を有するが、台形形状が、アクチュエータ２４０の第２のアクチュエータ端部２４０Ｂの断面積とすることは必須ではない。アクチュエータ２４０の第２のアクチュエータ端部２４０Ｂの断面は、正方形、三角形、五角形、多面体、または不規則な形状とすることさえもできる。有利には、アクチュエータ２４０の第２のアクチュエータ端部２４０Ｂにおける複数のアクチュエータ２４０の組立物は、図１３ｃに示すように作動ユニットを形成し、作動ユニットの動作は図１６に示される。図１３ｃにおいて、エンドプレート２０４上に同じ長さの４つのアクチュエータ２４０が組み立てられており、各アクチュエータ２０４の第１のアクチュエータ端部２４０Ａは、エンドプレート２０４のそれぞれのアクチュエータ開口２０４Ａを通過して、ストッパープレート２２０の凹部２２０Ｃ上にも組み立てられたばね板２１０を係合／係合解除する。図１３ｃのアクチュエータ２４０の長さは同じあるが、クランプヘッドが複数のストッパープレートおよびばね板を含む場合には、作動ユニット内の各アクチュエータ２４０の長さは異なることができる。これについては、図２２に示す。
【００３９】
図１４は、本発明の第２の実施形態のベース部材２０２の斜視図を示し、これは、第１の実施形態のベース部材１６２とは異なる。図１５ａ〜図１５ｂは、それぞれ角度ＡおよびＢから見た図１４のベース部材２０２の図を示す。図１５ａは、ベース部材２０２が、心棒（後述）が通過できる心棒開口２０２Ｂを有することを示す。図１５ａはまた、ベース部材２０２がガイドトラック２０２Ｃ（点線の円で示す）、第１の軸方向突出部２０２Ｄ、および第２の軸方向突出部２０２Ｅを有することを示す。ガイドトラック２０２Ｃ、第１の軸方向突出部２０２Ｄ、および第２の軸方向突出部２０２Ｅは、例えば図２２および図２３（後で示す）のストッパープレート２２０、ばね板２１０、および他の部品の複数の繰り返しユニットを有するクランプヘッドを組み立てるために使用される。しかしながら、ガイドトラック２０２Ｃ、第１の軸方向突出部２０２Ｄ、および第２の軸方向突出部２０２Ｅがベース部材２０２上に存在することは必須ではない。図１５ｂは、ベース部材２０２のベース部材面上のベース部材作動部２０２Ａを示す。ベース部材２０２のベース部材作動部２０２Ａは、第１実施形態のベース部材１６２のベース部材作動部１６２Ｂと同じ機能を有し、ベース部材作動部２０２Ａは、中央台状部と、台状部の両側面に配置された２つの傾斜部とを有する。
【００４０】
図１６は、本発明のクランプヘッド２００の第２の実施形態の分解図を示す。図１６において、クランプヘッド２００は、第１のギア２０３Ａ、第２のギア２０３Ｂ、ベース部材２０２、複数のアクチュエータ２４０を有する作動ユニット、エンドプレート２０４、カバープレート２５０、および心棒２０１を含む。図１６に示すように、図１６のカバープレート２５０は、クランプヘッド２００の外側部分であり、４つのばね板２１０は、心棒２０１と一致する回転軸を横断する平面上に配置される。各ばね板２１０は、ストッパープレート２２０の凹部２２０Ｃ（図９に示す）とエンドプレート２０４の凹部２０４Ｂ（図１５に示す）の間に挟まれる。図１６の脱毛器がオンになると、第１のギア２０３Ａおよび第２のギア２０３Ｂは、モータ（図示せず）によって駆動されて回転する。一方、エンドプレート２０４、ばね板２１０、ストッパープレート２２０も回転するが、ベース部材２０２は、心棒２０１に対して静止している、すなわち、第１のギア２０３Ａおよび第２のギア２０３Ｂが回転してもベース部材２０２は回転しない。アクチュエータ２４０の第１のアクチュエータ端部２４０Ａは、対応するアクチュエータ開口２０４Ａを介してエンドプレート２０４を通って延在し、対応するばね板２１０を押す。
【００４１】
図１７ａにおいて、心棒２１０が回転している間、一つのアクチュエータのアクチュエータ端部２４０Ｂは、ベース部材２０２のベース部材面上のベース部材作動部２０２Ａとの係合を解除し、アクチュエータ端部２４０Ｂに対応する空間が開く。図１７ｂにおいて、隣接するアクチュエータのアクチュエータ端部２４０Ｂ'がベース部材作動部２０２Ａとちょうど係合解除された際に、このアクチュエータ端部２４０Ｂ'は、ベース部材２０２のベース部材作動部２０２Ａと係合し、前記アクチュエータ端部２４０Ｂに対応するばね板は付勢されて、対応する空間を閉じる。図１７ｃにおいて、アクチュエータ端部２４０Ｂ'がベース部材作動部２０２Ａとの係合を解除した際に、アクチュエータ端部２４０Ｂ'に対応するばね板は、図示のように前記対応する空間を再び開くように付勢される。心棒２１０が回転している間、各第２のアクチュエータ端部２４０Ｂは、ベース部材２０２のベース部材作動部２０２Ａを押すことになって、毛髪をクランプするための対応する空間を閉じる。
【００４２】
図１８は、図１６のばね板２１０の繰り返しユニットおよびストッパープレート２２０の繰り返しユニットを有する本発明の実施形態を示す。本実施形態は、心棒（図示せず）上に同軸に配置された追加の中間プレート２３０を有する。ストッパープレートと中間プレートの数は任意の数とすることができる。
【００４３】
図１９は、本発明の第２の実施形態の中間プレート２３０の斜視図を示し、これは、第１の実施形態の中間プレート１６０とは異なる。図２０は、図１９の角度Ａから見たときの中間プレート２３０を示し、中間プレート１６０は、図９に示すストッパープレート２２０に似ている。したがって、中間プレート１６０に関する説明は、ストッパープレート２２０にも当てはまる。図２１に示すように、中間プレート２３０の凹部２３０Ｃは、ばね板２１０を収容する。図２１の各ばね板２１０は、図２２で詳細に説明するそれぞれのアクチュエータによって付勢することができ、ばね板２１０の第１のばね板クランプ面２１０Ｃが中間プレート２３０の中間プレートクランプ面２３０Ａと係合または係合解除できるようにする。ばね板２１０の第１のばね板クランプ面２１０Ｃが中間プレート２３０の中間プレートクランプ面２３０Ａとの係合を解除すると、中間プレート２３０の中間プレートクランプ面２３０Ａとばね板２１０の第１のばね板クランプ面２１０Ｃの間に空間が形成される。ばね板２１０の第１のばね板クランプ面２１０Ｃが中間プレート２３０の中間プレートクランプ面２３０Ａと係合すると、中間プレート２３０の中間プレートクランプ面２３０Ａとばね板２１０の第１のばね板クランプ面２１０Ｃとの間の空間は閉じる。
【００４４】
図２２は、本発明の第３の実施形態を示し、そこでは、クランプヘッド３００が、２つのベース部材２０２と、２つのエンドプレート２０４と、複数のアクチュエータ２４０を有する２組の作動ユニットと、中間プレート２３０と、８つのストッパープレート２２０と、４０個のばね板２１０とを備える。中間プレート２３０、ばね板２１０、ストッパープレート２２０、およびアクチュエータ２４０の数と配置は、図２２では単なる一例にすぎないが、これらのユニットは、ギア２３０Ａおよび２３０Ｂで駆動できるのならば、制限なく繰り返すことができる。図２２は、クランプヘッド３００が３つの部分、すなわちＡ部、Ｂ部、およびＣ部を有することを示す。図２２は、Ｃ部の構成がＡ部の構成を実質的に繰り返したものであるが、Ｃ部は、第１のギア２０３Ａ、第２のギア２０３Ｂ、および心棒２０１を有していないことを示す。しかしながら、Ｃ部はまた、モータにより駆動されるギア２３０Ａおよび２３０Ｂを有することもできる。図２２において、Ｃ部の動作および操作機構は、Ａ部と同じであり、図２２のＡ部は、第２の実施形態のクランプヘッド２００であり、よって、Ａ部およびＣ部の動作および操作機構は、前述の図１７に示したものと同じである。図２２の脱毛器がオンにされると、第１のギア２０３Ａおよび第２のギア２０３Ｂは、モータ（図示せず）によって駆動され、第１のギア２０３Ａおよび第２のギア２０３Ｂを回転させる。一方、エンドプレート２０４、ばね板２１０、ストッパープレート２２０、中間プレート２３０も回転するが、ベース部材２０２は、心棒２０１に対して静止している。すなわち、第１のギア２０３Ａおよび第２のギア２０３Ｂが回転してもベース部材２０２は回転しない。図２２は、アクチュエータ２４０の第１のアクチュエータ端部２４０Ａが、エンドプレート２０４の対応するアクチュエータ開口２０４Ａを介してエンドプレート２０４を通って延在し、対応するばね板２１０を押して、毛髪をクランプするための対応する空間を閉じることができることを示す。
【００４５】
本発明は、クランプヘッドの技術分野で使用されているコイルばねに代えて、ばね板を使用している。米国特許出願公開第２０１４／３０９６６３号明細書にあるような既存の脱毛器は、複数のばねを使用しており、クランプ用のクランプ要素の組み立てを複雑にさせている。本発明の脱毛器におけるばね板の使用は、比較的、耐久性、組み立て易さを改善し、使用する材料をより少なくすることができる。
【００４６】
本開示の好ましい実施形態は、実施例により詳細に説明されたが、当業者が変更および適合に想到することは明らかである。さらに、上述の実施形態は、実施例または図のみによって制限されると解釈されるべきではない。しかしながら、以下の特許請求の範囲に記載されているように、そのような変更および適合は本開示の範囲内にあることを明確に理解されたい。例えば、一実施形態の一部として例示または説明された特徴を別の実施形態で使用して、さらなる実施形態を生み出すことができる。したがって、本開示は、特許請求の範囲およびそれらの均等物の範囲内にあるような変更および変形を包含することが意図されている。
【符号の説明】
【００４７】
１          脱毛器
２          ハンドル
３          アタッチメント
１０        バッテリーハウジング
２０        メインハウジング
３０        アタッチメントハウジング
４０        モータ
４２        モータ心棒
５０        バッテリー
６０        コネクタ要素
７０        保護キャップ
８０        オン／オフスイッチ
１００      本発明の第一実施形態のクランプヘッド
１１０Ａ    シャフト１
１１０Ｂ    コネクタ
１１０Ｃ    ブッシング
１１０Ｄ    シャフト２
１２０      心棒
１３０Ａ    ギア１
１３０Ｂ    ギア２
１３０Ｃ    ギア３
１４１      ストッパーナット
１４２      ストッパープレート
１４２Ａ    ストッパープレートクランプ面
１５１      ばね板
１５１Ａ    ばね板１５１の第１のばね板クランプ面
１５１Ｂ    ばね板１５１の第２のばね板クランプ面
１５２      ばね板
１５２Ａ    ばね板１５２の第１のばね板クランプ面
１５２Ｂ    ばね板１５２の第２のばね板クランプ面
１６０      中間プレート
１６０Ａ    第１の中間プレート面
１６０Ｂ    第２の中間プレート面
１６０Ｃ    中間プレート１６０のアクチュエータ開口
１６１      エンドプレート
１６１Ａ    第１のエンドプレート面
１６１Ｂ    第２のエンドプレート面
１６１Ｃ    エンドプレート１６１のアクチュエータ開口
１６２      ベース部材
１６２Ａ    ベース部材面
１６２Ｂ    ベース部材作動部
１６３      弾性部材
１６４      座金
１６５      Ｅリング
１６６      スプリングホルダー
１６７      メインブッシング
１７１      ばね板
１７１Ａ    ばね板１７１の第１のばね板クランプ面
１７１Ｂ    ばね板１７１の第２のばね板クランプ面
１７２      ばね板
１７２Ａ    ばね板１７２の第１のばね板クランプ面
１７２Ｂ    ばね板１７２の第２のばね板クランプ面
１８０      アクチュエータ
１８０Ａ    アクチュエータ１８０の第１のアクチュエータ端部
１８０Ｂ    アクチュエータ１８０の第２のアクチュエータ端部
１９０      アクチュエータ
１９０Ａ    アクチュエータ１９０の第１のアクチュエータ端部
１９０Ｂ    アクチュエータ１９０の第２のアクチュエータ端部
２００      本発明の第２の実施形態のクランプヘッド
２０１      心棒
２０２      ベース部材
２０２Ａ    ベース部材作動部
２０２Ｂ    ベース部材２０２の心棒開口
２０２Ｃ    ベース部材２０２上のガイドトラック
２０２Ｄ    ベース部材２０２上の第１の軸方向突出部
２０２Ｅ    ベース部材２０２上の第２の軸方向突出部
２０３Ａ    第１のギア
２０３Ｂ    第２のギア
２０４      エンドプレート
２０４Ａ    エンドプレート２０４のアクチュエータ開口
２０４Ｂ    エンドプレート２０４の「アンカー」形状の凹部
２０４Ｃ    エンドプレート２０４の心棒開口
２０７      弾性部材
２１０      ばね板
２１０Ａ    第１のばね板端部
２１０Ｂ    第２のばね板端部
２１０Ｃ    ばね板２１０の第１のばね板クランプ面
２１０Ｄ    ばね板２１０の第１のウイング対
２１０Ｅ    ばね板２１０の第２のウイング対
２２０      ストッパープレート
２２０Ａ    ストッパープレートクランプ面
２２０Ｂ    ストッパープレート２２０のアクチュエータ開口
２２０Ｃ    ストッパープレート２２０の「アンカー」形状の凹部
２２０Ｄ    ストッパープレート２２０の心棒開口
２２０Ｅ    突出部
２３０      中間プレート
２３０Ａ    中間プレートクランプ面
２３０Ｂ    中間プレート２３０のアクチュエータ開口
２３０Ｃ    中間プレート２３０の「アンカー」形状の凹部
２３０Ｄ    中間プレート２３０の心棒開口
２３０Ｅ    突出部
２４０      アクチュエータ
２４０Ａ    アクチュエータ２４０の第１のアクチュエータ端部
２４０Ｂ    アクチュエータ２４０の第２のアクチュエータ端部
２５０      カバープレート
３００      本発明の第３実施形態のクランプヘッド
【図１】
0006754504.tif 000002
【図２】
0006754504.tif 000003
【図３】
0006754504.tif 000004
【図４】
0006754504.tif 000005
【図５】
0006754504.tif 000006
【図６】
0006754504.tif 000007
【図７ａ】
0006754504.tif 000008
【図７ｂ】
0006754504.tif 000009
【図７ｃ】
0006754504.tif 000010
【図８】
0006754504.tif 000011
【図９】
0006754504.tif 000012
【図１０】
0006754504.tif 000013
【図１１】
0006754504.tif 000014
【図１２ａ】
0006754504.tif 000015
【図１２ｂ】
0006754504.tif 000016
【図１３ａ】
0006754504.tif 000017
【図１３ｂ】
0006754504.tif 000018
【図１３ｃ】
0006754504.tif 000019
【図１４】
0006754504.tif 000020
【図１５ａ】
0006754504.tif 000021
【図１５ｂ】
0006754504.tif 000022
【図１６】
0006754504.tif 000023
【図１７】
0006754504.tif 000024
【図１８】
0006754504.tif 000025
【図１９】
0006754504.tif 000026
【図２０】
0006754504.tif 000027
【図２１】
0006754504.tif 000028
【図２２】
0006754504.tif 000029
【図２３】
0006754504.tif 000030